(57)【要約】【課題】電動機の動力を糸巻き装置に確実に伝達できるミシンを提供する。【解決手段】ミシン１は糸巻き装置７０を備えている。糸巻き装置７０は、支持台に回転可能に軸支した糸巻き軸７２を備えている。糸巻き軸７２の下端部には糸巻きプーリ７４を設けている。支持台には、支軸を中心に回動する長尺状の感知レバー７５を備えている。糸巻き軸７２の上端にはボビン支持端７２Ａを設けている。感知レバー７５をボビン支持端７２Ａに向けて回動させるとカム機構によって糸巻き軸７２が移動し、糸巻きプーリ７４がモータ出力軸３５に装着した回転板６６の面に接触する。モータを駆動させてモータ出力軸３５を回転させると回転板６６が回転して糸巻きプーリ７４が回転する。これにより、モータの動力を糸巻き装置７０に確実に伝達できる。【選択図】図４
2010227329.tif 000002
【特許請求の範囲】
【請求項１】
機枠と、
当該機枠に設けた電動機と、
前記機枠から外方へ突き出し、前記電動機の出力軸と平行に配置した主軸と、
前記電動機の前記出力軸に連結した第１歯車と、
前記主軸に連結した第２歯車と、
前記第１歯車と前記第２歯車との間に掛け渡したタイミングベルトと、
前記機枠に固定し、ボビンに糸を巻き付ける糸巻き装置と、
前記電動機の前記出力軸に設け、前記出力軸と共に回転する回転板と
を備え、
前記糸巻き装置は、
一端に前記ボビンを着脱可能に取り付け、前記一端とは反対側の他端にローラを同軸上に設けた糸巻き軸を備え、
当該糸巻き軸を前記出力軸の軸線方向に直交させ、かつ回転可能に支持した状態で、前記ローラを前記回転板の側面に接離させるように構成したミシン。
【請求項２】
前記電動機は、前記機枠の後部に固定し、
前記主軸は、前記機枠の側部から外方に突き出した請求項１に記載のミシン。
【請求項３】
前記第１歯車と前記第２歯車とは互いに同じ径に設定している請求項１又は２に記載のミシン。
【発明の詳細な説明】
【技術分野】
【０００１】
本発明はミシンに関し、詳細には、糸巻き装置を備えたミシンに関する。
【背景技術】
【０００２】
従来、糸巻き装置を機枠の外部に備えたミシンがある。糸巻き装置は、ミシンの動力を利用してボビンに糸を巻くことができる。例えば、駆動モータの回転シャフト先端にプーリを固定し、該プーリとベッドに設けた糸巻きとの間にベルトを各々架け渡したミシンの糸巻き機構がある（例えば、特許文献１参照）。糸巻き機構では、駆動モータの動力をベルトを介して糸巻きに伝達できる。
【先行技術文献】
【特許文献】
【０００３】
【特許文献１】実開昭５５−８８７８３号公報
【発明の概要】
【発明が解決しようとする課題】
【０００４】
しかしながら、特許文献１に記載のミシンの糸巻き機構では、長期間の使用等によってベルトが緩むことがある。ベルトが緩むと、駆動モータの動力を糸巻きに伝達できないという問題点があった。
【０００５】
本発明は、上記課題を解決するためになされたものであり、電動機の動力を糸巻き装置に確実に伝達できるミシンを提供することを目的とする。
【課題を解決するための手段】
【０００６】
上記目的を達成するために、請求項１に係る発明のミシンは、機枠と、当該機枠に設けた電動機と、前記機枠から外方へ突き出し、前記電動機の出力軸と平行に配置した主軸と、前記電動機の前記出力軸に連結した第１歯車と、前記主軸に連結した第２歯車と、前記第１歯車と前記第２歯車との間に掛け渡したタイミングベルトと、前記機枠に固定し、ボビンに糸を巻き付ける糸巻き装置と、前記電動機の前記出力軸に設け、前記出力軸と共に回転する回転板とを備え、前記糸巻き装置は、一端に前記ボビンを着脱可能に取り付け、前記一端とは反対側の他端にローラを同軸上に設けた糸巻き軸を備え、当該糸巻き軸を前記出力軸の軸線方向に直交させ、かつ回転可能に支持した状態で、前記ローラを前記回転板の側面に接離させるように構成している。
【０００７】
また、請求項２に係る発明のミシンは、請求項１に記載の発明の構成に加え、前記電動機は、前記機枠の後部に固定し、前記主軸は、前記機枠の側部から外方に突き出している。
【０００８】
また、請求項３に係る発明のミシンは、請求項１又は２に記載の発明の構成に加え、前記第１歯車と前記第２歯車とは互いに同じ径に設定している。
【発明の効果】
【０００９】
請求項１に係る発明のミシンでは、糸巻き軸の一端にボビンを着脱自在に取り付け可能とし、他端にローラを設けている。糸巻き軸を出力軸の軸線方向に直交させた状態で、ローラを出力軸と共に回転する回転板の側面に接触させる。主軸の回転に伴って回転板が回転すると、回転板に接触するローラが回転し、糸巻き軸が回転するので、ボビンに糸を巻くことができる。電動機の出力軸の動力を糸巻き軸に直接伝達できる。
【００１０】
また、請求項２に係る発明のミシンでは、請求項１に記載の発明の効果に加え、電動機は機枠の後部に固定し、主軸は機枠の側部から外方に突き出しているので、使用者の邪魔にならない。
【００１１】
また、請求項３に係る発明のミシンでは、請求項１又は２に記載の発明の効果に加え、第１歯車と第２歯車とは互いに同じ径に設定されているので、１：１の速度比率で動力を伝達できる。
【図面の簡単な説明】
【００１２】
【図１】ミシン１の斜視図である。
【図２】ミシン１の斜視図（カバー１５０を省略）である。
【図３】ミシン１の背面図（カバー１５０を省略）である。
【図４】ミシン１の右側面図（手動輪６５を省略）である。
【図５】糸巻き装置７０を上側から見た斜視図である。
【図６】糸巻き装置７０の正面図である。
【図７】糸巻き装置７０を下側から見た斜視図である。
【図８】プレート８３の平面図である。
【図９】感知レバー７５と、プレート８３と、糸巻きプーリ７４との位置関係を示す図である。
【図１０】図９に示す感知レバー７５を回動させた状態を示す図である。
【図１１】糸巻き装置７０と回転板６６との位置関係を示す図である。
【発明を実施するための形態】
【００１３】
以下、本発明の一実施形態であるミシン１について、図面を参照して説明する。図１，図２において、斜め左前方を使用者に対向するミシン１の前方とし、斜め右後方をミシン１の後方とする。図２では、カバー１５０を省略している。図３では、カバー１５０を省略している。図４では、手動輪６５を省略している。
【００１４】
ミシン１の構造について説明する。図１，図２に示すように、ミシン１は、土台１２と、土台１２に立設したミシン本体１０とからなる。ミシン本体１０は、土台１２の上面の右端側に立設した角柱状の脚柱部１３と、脚柱部１３の上部から左側方に延設し、かつ土台１２の上面と対向する角柱状のアーム部１４とからなる。アーム部１４の先端部には下方にやや折り曲げて延出した頭部１５を設けている。頭部の下部には、後述するモータ３０の駆動によって上下に往復移動する針棒１６を備えている。針棒１６は自身の下端に縫針１７を備えている。針棒１６の後方には、昇降可能な押え棒１９を備えている。押え棒１９の下端には押え足２０を備えている。
【００１５】
アーム部１４の内側には、アーム部１４の長手方向に沿って延びるミシン主軸１８を備えている。ミシン主軸１８は、針棒１６を上下動させる駆動機構（図示外）に連結している。ミシン主軸１８が回転すると、駆動機構を介して針棒１６が上下動する。
【００１６】
脚柱部１３の後部には、図３に示すように、ブラケット２５を固定している。ブラケット２５は、板状の台部２６と、該台部２６上に立設したリング状の第１保持部２７と、第１保持部２７の内側に設けた円筒状の第２保持部２８と、前記台部２６に立設した板状の固定部２９とからなる。台部２６を脚柱部１３の後部に複数の螺子２３で固定することによって、ブラケット２５を脚柱部１３の後部に固定している。
【００１７】
第２保持部２８は、図３に示すように、自身の軸線がアーム部１４の延設方向に対して平行になるように位置する。第２保持部２８は、円柱状のモータ３０を内側に同軸上に保持する。固定部２９は、下糸をボビン５に巻くための糸巻き装置７０をミシン本体１０に固定する。
【００１８】
モータ３０は、ミシン主軸１８を回転させて縫製を行う動力源である。モータ３０の一端面の中心には、動力を出力するためのモータ出力軸３５が突き出している。モータ出力軸３５は、アーム部１４の内側に備えたミシン主軸１８に対して平行に位置する。モータ３０は、ブラケット２５によって、ミシン本体１０の後部に位置するので、作業者の邪魔にならない。
【００１９】
モータ３０は、モータ出力軸３５の回転位相を検出するエンコーダ（図示外）を備えている。エンコーダは、図示しない複数のスリットを有する回転円板と、複数のスリットを有する扇形の板と、発光素子と、受光素子とを備える一般的なものである。回転円板の片側から当てた光のうち、回転円板のスリットと扇形の板のスリットとを透過した光を受光素子が検出する。受光素子における受光量に基づいて、モータ出力軸３５の回転角度（回転位相）を検出する。検出した回転位相に関する情報を、ミシン１の動作を統括する制御部（図示外）に送信する。制御部は、モータ出力軸３５の回転位相に基づき、ミシン主軸１８、駆動機構を介して上下動する針棒１６及び縫針１７の位置を検出し、縫製動作を制御する。
【００２０】
モータ３０の動力伝達機構について説明する。図４に示すように、モータ出力軸３５の位置とミシン主軸１８の位置とは互いに同一高さである。モータ出力軸３５の先端部には、円柱状のモータプーリ６０を同軸上に固定している。モータプーリ６０の外周面には凹凸状の歯部６１を備えている。モータプーリ６０はモータ出力軸３５の回転に伴って回転する。脚柱部１３の右側面から突き出したミシン主軸１８の先端側には、円柱状のミシンプーリ５０を同軸上に固定している。ミシンプーリ５０の外周面には凹凸状の歯部５１（図４参照）を備えている。モータプーリ６０とミシンプーリ５０は同径である。
【００２１】
図３，図４に示すように、モータプーリ６０とミシンプーリ５０との間には、無端状のタイミングベルト５５を架け渡している。タイミングベルト５５は樹脂製である。タイミングベルト５５の内側の面には、凹凸状の歯部５７を備えている。モータプーリ６０の歯部６１と、ミシンプーリ５０の歯部５１と、タイミングベルト５５の歯部５７とは同一形状である。タイミングベルト５５の歯部５７を、モータプーリ６０の歯部６１と、ミシンプーリ５０の歯部５１とに対して噛み合わせる。
【００２２】
上記構成からなる動力伝達機構では、モータ出力軸３５が回転すると、モータプーリ６０が回転し、タイミングベルト５５を介してミシンプーリ５０が回転する。ミシンプーリ５０が回転することでミシン主軸１８が回転し、駆動機構を介して針棒１６及び縫針１７が上下動する。上述したように、モータプーリ６０とミシンプーリ５０は同径であるから、タイミングベルト５５を採用した本実施例のミシン１は、１：１の速度比率で駆動するものである。
【００２３】
ミシン主軸１８の先端部には、図１〜図３に示すように、ミシンプーリ５０の外方に位置する円筒状の手動輪６５を装着している。手動輪６５を手動で回転させるとミシン主軸１８が回転する。ミシン主軸１８が回転することで、駆動機構を介して針棒１６及び縫針１７が上下動する。
【００２４】
モータ出力軸３５において、図３に示すように、モータ３０とモータプーリ６０との間には、冷却ファン４０を同軸上に固定している。冷却ファン４０は、同心円上に複数の羽根４１を備えている。冷却ファン４０は、モータ出力軸３５の回転に伴って回転することで、モータ３０に向けて送風する。モータ３０に送風することで、発熱するモータ３０を冷却する。
【００２５】
モータ出力軸３５において、図３，図４に示すように、冷却ファン４０とモータプーリ６０との間には、円盤状の回転板６６（図１１参照）を同軸上に固定している。回転板６６は、モータ出力軸３５の回転に伴って回転する。回転板６６の側面には、後述する糸巻き装置７０の糸巻きプーリ７４が接触する。回転板６６に糸巻きプーリ７４が接触することで、モータ３０の動力を糸巻き装置７０に効果的に伝達できる。モータ３０の動力を糸巻き装置７０に伝達する仕組みについては後述する。
【００２６】
上記構成からなるミシン１において、図１に示すように、脚柱部１３の右側面と、アーム部１４の背面とには、ミシンプーリ５０、モータプーリ６０、ブラケット２５、冷却ファン４０、モータ３０等を取り囲んで保護する箱状に形成した樹脂製のカバー１５０を着脱可能に取り付けている。カバー１５０の右側面に設けた穴部１５１には、手動輪６５が突き出して露出している。カバー１５０の上面に設けた穴部１５２には、糸巻き装置７０の後述するボビン支持端７２Ａ（図５参照）が上方に突き出している。
【００２７】
糸巻き装置７０の構造について、図５乃至図１１を参照して説明する。図５に示す糸巻き装置７０は、モータ３０（図３参照）の動力を利用して下糸をボビン５に巻き付けるための装置である。図５乃至図７に示すように、糸巻き装置７０は、所定厚を有する円盤状の支持台７１と、該支持台７１の面に対して直交して貫通し、回転可能に軸支した棒状の糸巻き軸７２と、該糸巻き軸７２の下端７２Ｂ（図７参照）にフランジ状に設けた円盤状の糸巻きプーリ７４と、支持台７１に直交して回転可能に軸支した支軸７６を中心に回動する長尺状の感知レバー７５とを備えている。糸巻き軸７２は、後述するカム機構によって、感知レバー７５の回動に伴って水平方向に移動する。
【００２８】
図５に示すように、支持台７１の上面には、表面の一部を略円形状に切り欠いた凹部７１Ａを設けている。凹部７１Ａの底面には、支持台７１の厚み方向に貫通し、かつ糸巻き軸７２を垂直に挿入させる貫通穴７７（図７，図１１参照）を設けている。貫通穴７７は、モータ出力軸３５の長手方向に対して平行に延設した形状を有し、かつ糸巻き軸７２の径よりも長い径を有する。糸巻き軸７２は、貫通穴７７の長手方向に沿って移動することができる。
【００２９】
図５乃至図７に示すように、凹部７１Ａには、ボビン５の台座となる円盤状の台座部７９を設けている。台座部７９の中心から糸巻き軸７２の上端部が突出している。糸巻き軸７２の上端部には、ボビン５（図１参照）を装着するためのボビン支持端７２Ａを設けている。支持台７１の凹部７１Ａを除く部分には、感知レバー７５を軸支する支軸７６を直交して設けている。支軸７６の下端部には、感知レバー７５と共に回動するカム体９７を設けている。カム体９７には、後述するプレート８３に向けて突出するカム部９７Ａを設けている。
【００３０】
図７，図９に示すように、支持台７１には、その裏面から下方に延設した支軸８１を設けている。支軸８１には、カム体９７に押し出されて回動し、かつ糸巻き軸７２を押し出すための平板状のプレート８３を回動可能に軸支している。プレート８３の下側には、支軸８１を内挿し、かつ支軸８１を中心に回動する円筒状の筒部８０を設けている。プレート８３の下方には、筒部８０の外周面に一端部を連結し、他端部を糸巻き軸７２の後述する保護筒部７８の外周面に連結した板状の回動支持板８８を設けている。これにより、図９に示すように、糸巻き軸７２は、回動支持板８８を介して、支軸８１を中心に回動する。
【００３１】
糸巻き軸７２の構造について、図１１を参照して説明する。糸巻き軸７２の軸線方向中央よりもやや下側には、円筒状の保護筒部７８を同軸上に外装している。保護筒部７８の内側で糸巻き軸７２が回転する。糸巻き軸７２における保護筒部７８の上方には、軸線に直交する方向に拡径した円柱状の拡径部９９を設けている。拡径部９９の外周面には、断面半円形状の溝９９Ａを周方向に設けている。溝９９Ａには、弾性体であるＯリング１００を嵌着している。糸巻き軸７２が貫通穴７７の内側を移動する際に、Ｏリング１００が貫通穴７７の内縁部に接触するので、拡径部９９が損傷するのを防止できる。
【００３２】
プレート８３の形状について、図８を参照して説明する。プレート８３は、カム体９７による付勢によって回動し、糸巻き軸７２の位置を移動させる。プレート８３には、支軸８１（図９参照）に軸支させる軸支穴１０４を設けている。プレート８３には、腕状にやや湾曲した作用腕部８４を設けている。作用腕部８４の湾曲する内側の面には、糸巻き軸７２の保護筒部７８（図９参照）の周囲を取り囲む湾曲部１０６を設けている。湾曲部１０６に対して作用腕部８４を挟んで反対側には、軸支穴１０４に向けて湾曲した湾曲カム部１０５を設けている。図９，図１０に示すように、湾曲カム部１０５に対して、カム体９７のカム部９７Ａが接触することで、プレート８３が支軸８１を中心に回動する。
【００３３】
図５，図７に示すように、作用腕部８４の先端部と、支持台７１の裏面から下方に突出する略円柱状の支持柱９１の先端側の外周面との間にはコイルバネ９４Ａを設けている。コイルバネ９４Ａは、後述するように、下糸巻きに際して圧縮され、下糸が必要以上に巻かれたときに、圧縮弾力を利用してプレート８３を図９の状態に戻す機能を有する。作用腕部８４の長手方向中央の内側部分に突起状に設けた突起部８５（図８参照）と、糸巻き軸７２の保護筒部７８の外周面との間にはコイルバネ９４Ｂを設けている。コイルバネ９４Ｂは、プレート８３の図９における平面視反時計回りの回動に伴って保護筒部７８を弾力的に押し出す機能を有する。
【００３４】
上記構成からなる糸巻き装置７０の支持台７１を、ブラケット２５の固定部２９に設けた固定台３２の穴部３３（図１１参照）に嵌着する。これにより、糸巻き装置７０をミシン１の脚柱部１３の背面上部に固定できる。糸巻き装置７０を固定した状態では、糸巻き軸７２をモータ出力軸３５（図１１参照）の長手方向に直交させ、かつ糸巻きプーリ７４を回転板６６（図１１参照）の近傍に配置させることができる。
【００３５】
糸巻き装置７０による糸巻きの手順について、図９乃至図１１を参照して説明する。図９に示す状態から、感知レバー７５をボビン支持端７２Ａ（図５参照）に向けて回動させる（図１０参照）。支軸７６を介してカム体９７が平面視時計回りに回動する。カム体９７のカム部９７Ａが、プレート８３に設けた湾曲カム部１０５の面を糸巻き軸７２の方向に押圧する。カム部９７Ａは、作用腕部８４の外側基部に当接して、その当接位置を先端側に変えながら、プレート８３を支軸８１を中心に平面視反時計回りに回動させる。プレート８３の回動に伴って、コイルバネ９４Ｂがその圧縮反発力により糸巻き軸７２の保護筒部７８を外方へ押し出して移動させる。糸巻き軸７２が移動することに伴って、糸巻きプーリ７４の外周面がモータ出力軸３５に装着した回転板６６（図１１参照）の面に接触する。糸巻き装置７０は所謂「糸巻き状態」となる。
【００３６】
この状態において、コイルバネ９４Ａは、プレート８３の作用腕部８４の先端部と支持柱９１との間に強く圧縮される。また、感知レバー７５、プレート８３及びカム体９７が図１０に示される関連配置となり、カム体９７のカム部９７Ａとプレート８３の作用腕部８４との各外側接触点が支軸７６の軸心と糸巻き軸７２の軸心を結ぶ直線上に略一致するために、コイルバネ９４Ａ及びコイルバネ９４Ｂ、特に、コイルバネ９４Ａの圧縮弾力が働いているのに拘わらず、感知レバー７５、プレート８３及びカム体９７の関連配置が図１０に示される状態に固定的に維持される。そして、感知レバー７５は、ボビン５と対向する部分がボビン５の上下各フランジの間に僅か侵入した位置に配置される。
【００３７】
モータ３０を駆動させ、モータ出力軸３５を回転させる。モータ出力軸３５が回転すると、モータプーリ６０と共に回転板６６が回転する。回転板６６が回転すると、回転板６６の側面に接触する糸巻きプーリ７４が回転する。糸巻きプーリ７４の回転に伴って糸巻き軸７２が回転し、ボビン支持端７２Ａに装着したボビン５が回転するので、ボビン５に下糸を巻くことができる。糸巻き軸７２の下端７２Ｂに直結した糸巻きプーリ７４が、モータ出力軸３５に直結した回転板６６に接触するので、モータ出力軸３５の回転を糸巻き軸７２に効果的に伝達できる。
【００３８】
ボビン５に下糸が必要以上に巻かれると、ボビン５に巻いた下糸の外周部が感知レバー７５を外方に押し出す。そして、カム体９７のカム部９７Ａとプレート８３の作用腕部８４との各外側接触点が、支軸７６の軸心と糸巻き軸７２の軸心を結ぶ直線に対して、図１０の紙面の上方に外れることにより、既に圧縮されているコイルバネ９４Ａの圧縮弾力によってプレート８３が図１０における平面視時計回りに回動されると共に、このプレート８３にカム接触している感知レバー７５もプレート８３を介してコイルバネ９４Ａの圧縮弾力により、図１０に示す状態から平面視反時計周りに回動される（図９参照）。感知レバー７５の回動に伴い、支軸７６を介して、カム体９７のカム部９７Ａが平面視反時計回りに回動する。カム体９７のカム部９７Ａがプレート８３の湾曲カム部１０５に戻ると同時に、糸巻き軸７２が元の位置に戻される。このとき、糸巻きプーリ７４が回転板６６から離脱するので、糸巻き動作が自動的に終了する。
【００３９】
以上説明したように、本実施形態のミシン１では、ミシン本体１０の外部に糸巻き装置７０を備えている。糸巻き装置７０は、支持台７１に回転可能に軸支した糸巻き軸７２を備えている。糸巻き軸７２の下端７２Ｂには糸巻きプーリ７４を設けている。支持台７１には、支軸７６を中心に回動する長尺状の感知レバー７５を備えている。糸巻き軸７２の上端には、ボビン５を装着するボビン支持端７２Ａを設けている。感知レバー７５をボビン支持端７２Ａに向けて回動させると、支持台７１の下側に設けたカム機構によって糸巻き軸７２が移動する。すると、糸巻きプーリ７４がモータ出力軸３５に装着した回転板６６の面に接触する。
【００４０】
モータ３０を駆動させてモータ出力軸３５を回転させる。モータ出力軸３５が回転すると、モータプーリ６０と共に回転板６６が回転する。回転板６６が回転すると、回転板６６の側面に接触する糸巻きプーリ７４が回転する。糸巻きプーリ７４の回転に伴って糸巻き軸７２が回転し、ボビン支持端７２Ａに装着したボビン５が回転するので、ボビン５に下糸を巻くことができる。糸巻き軸７２の下端７２Ｂに直結した糸巻きプーリ７４が、モータ出力軸３５に直結した回転板６６に接触するので、モータ出力軸３５の回転を糸巻き軸７２に効果的に伝達できる。ボビン５に下糸が所定量以上巻かれると、下糸の外周が感知レバー７５を押し戻すので、糸巻き軸７２が元の位置に戻る。すると、糸巻きプーリ７４がモータ出力軸３５に装着した回転板６６の面から離間するので、糸巻きが自動的に終了する。
【００４１】
以上説明において、図３に示すミシン本体１０が本発明の「機枠」に相当する。モータ３０が本発明の「電動機」に相当する。ミシン主軸１８が本発明の「主軸」に相当する。モータ出力軸３５が本発明の「出力軸」に相当する。モータプーリ６０が本発明の「第１歯車」に相当する。ミシンプーリ５０が本発明の「第２歯車」に相当する。
【００４２】
上記実施形態のミシン１は、１：１の速度比率で駆動するベルト駆動式であるが、速度比率についてはこれに限定されない。
【００４３】
上記実施形態のミシン１では、タイミングベルト５５を用いたが、その他のベルト（例えば、Ｖベルト等）でもよい。
【符号の説明】
【００４４】
１  ミシン
５  ボビン
１０  ミシン本体
１２  土台
１３  脚柱部
１４  アーム部
１８  ミシン主軸
２５  ブラケット
３０  モータ
３５  モータ出力軸
５０  ミシンプーリ
５５  タイミングベルト
６０  モータプーリ
６６  回転板
７０  糸巻き装置
７２  糸巻き軸
７２Ａ  ボビン支持端
７４  糸巻きプーリ
７５  感知レバー
【図１】
2010227329.tif 000003
【図２】
2010227329.tif 000004
【図３】
2010227329.tif 000005
【図４】
2010227329.tif 000006
【図５】
2010227329.tif 000007
【図６】
2010227329.tif 000008
【図７】
2010227329.tif 000009
【図８】
2010227329.tif 000010
【図９】
2010227329.tif 000011
【図１０】
2010227329.tif 000012
【図１１】
2010227329.tif 000013